(57)【要約】【課題】  消火薬剤１３を確実に火源に到達させ、有効で効果的な消火を行うことができる自動消火設備を提供する。【解決手段】  消火薬剤１３を充填した容器１と、容器１から延長され末端を閉じ、内部が加圧状態である樹脂配管４とを備え、該樹脂配管４を防火対象域６に張り巡らせ、火災発生時に炎１２の熱により樹脂配管４が溶け弱くなった部分から消火薬剤１３を放射させる自動消火装置において、前記樹脂配管４内の管路の周囲一部分又は全周を覆う網５，１５，２５を備え、火災発生時に炎１２の熱により樹脂配管４が溶け弱くなった部分に穴４ａが空き、その穴４ａから放射される消火薬剤１３を網５，１５，２５で拡散させる。【選択図】図２
2006288688.tif 000002
【特許請求の範囲】
【請求項１】
消火薬剤を充填した容器と、容器から延長され末端を閉じ、内部が加圧状態である樹脂配管とを備え、該樹脂配管を防火対象域に張り巡らせ、火災発生時に災の熱により樹脂配管が溶け弱くなった部分から消火薬剤を放射させる自動消火装置において、前記樹脂配管内の管路の周囲一部分又は全周を覆う網を備えたことを特徴とする自動消火装置。
【請求項２】
前記樹脂配管内の管路の周囲一部分を覆う網は、樹脂配管の周囲に存在する壁面とで該樹脂配管を挿通させる筒状の配管収容空間を形成する請求項１に記載の自動消火装置。
【請求項３】
前記樹脂配管内の管路の周囲全周を覆う網は、樹脂配管を挿通させるように筒状に形成する請求項１に記載の自動消火装置。
【請求項４】
前記樹脂配管内の管路の周囲全周を覆う網は、樹脂配管の管壁樹脂内に一体に埋め込み網入りの樹脂配管を構成するように筒状に形成する請求項１に記載の自動消火装置。
【請求項５】
前記樹脂配管内の管路の周囲一部分又は全周を覆う網は、樹脂配管の成形材料より高い融点を有する金網又は樹脂網からなる請求項１乃至４の何れかに記載の自動消火装置。
【請求項６】
前記消火薬剤は、水系消火薬剤又は粉末消火薬剤である請求項１乃至５の何れかに記載の自動消火装置。
【発明の詳細な説明】
【技術分野】
【０００１】
本発明は、火災を感知して自動的に消火を行う自動消火装置に関する。
【背景技術】
【０００２】
従来、消火薬剤を充填した容器と、容器から延長され末端を閉じ、内部が加圧状態である樹脂配管とを備え、該樹脂配管を防火対象域に張り巡らせ、火災発生時に災の熱により樹脂配管が溶け弱くなった部分から消火薬剤を放射させて消火を行う自動消火装置があった。
【特許文献１】特開２００２−２８２３８１号公報
【発明の開示】
【発明が解決しようとする課題】
【０００３】
本発明が解決しようとする課題は、消火薬剤を線状にしか放射できない上に、放射方向が必ずしも火源に向くとは限らないことにある。
【課題を解決するための手段】
【０００４】
上記課題を解決するために本発明は、消火薬剤を充填した容器と、容器から延長され末端を閉じ、内部が加圧状態である樹脂配管とを備え、該樹脂配管を防火対象域に張り巡らせ、火災発生時に災の熱により樹脂配管が溶け弱くなった部分から消火薬剤を放射させる自動消火装置において、前記樹脂配管内の管路の周囲一部分又は全周を覆う網を備えたことを特徴としている。
【０００５】
上記構成によれば、火災発生時に災の熱により樹脂配管が溶け弱くなった部分に穴が空き、その穴から放射される消火薬剤を網で拡散させることができる。この網目の大きさは樹脂配管に空く穴より小さく、且つ、その穴から放射される消火薬剤が通過可能な大きさに形成することが望ましい。
【０００６】
前記樹脂配管内の管路の周囲一部分を覆う網は、樹脂配管の周囲に存在する壁面とで該樹脂配管を挿通させる筒状の配管収容空間を形成することが望ましい。
【０００７】
前記樹脂配管内の管路の周囲全周を覆う網は、樹脂配管を挿通させるように筒状に形成するか、樹脂配管の管壁樹脂内に一体に埋め込み網入りの樹脂配管を構成するように筒状に形成することが望ましい。
【０００８】
前記樹脂配管内の管路の周囲一部分又は全周を覆う網は、樹脂配管の成形材料より高い融点を有する金網又は樹脂網からなることが望ましい。
【０００９】
前記消火薬剤は水系消火薬剤又は粉末消火薬剤であることが望ましい。
【発明の効果】
【００１０】
本発明によれば、火災発生時に災の熱により樹脂配管が溶け弱くなった部分に穴が空き、その穴から放射される消火薬剤を網で拡散させることで、消火薬剤を確実に火源に到達させることができ、有効で効果的な消火を行うことができる。
【発明を実施するための最良の形態】
【００１１】
以下、本発明の実施の形態を図面に基づいて説明する。図１は本発明の実施の形態に係る陳列棚用自動消火装置の全体図であり、該装置は圧力源としてのＣＯ2や窒素ガスと共に水系消火薬剤又は粉末消火薬剤の何れか一方の消火薬剤１３を加圧充填する蓄圧式の消火薬剤貯蔵容器１、ポリエチレン等の合成樹脂からなり柔軟性を有する１本の樹脂配管であるチューブ４、図２に示す網５からなり、消火薬剤貯蔵容器１の（容器弁の）消火薬剤放出口にチューブ４を接続している。チューブ４は必要長さに切断し、且つ、その末端をヒートシール加工やプラグにより栓をして確実に閉じた状態で、防火対象域（防火対象物）、本実施の形態ではディスカウントショップ、スーパ、百貨店等の店舗の売場に配置して商品を陳列するための陳列棚６に張り巡らせ、当該陳列棚６で発生した火災を消火するように構成している。チューブ４の切断及び末端封鎖処理は陳列棚６にチューブ４を張り巡らせる配管作業の前後いずれでも行うことができる。
【００１２】
陳列棚６は、複数枚（本実施の形態では４枚）の矩形状の棚板７と、陳列棚６の４角（各棚板７の４角）に立設して各棚板７を上下多段に支持する４本の支柱８とで多段構造（本実施の形態では３段構造）に構成されている。
【００１３】
チューブ４は、陳列棚６の何れか１本の支柱８の下端部から陳列棚６に引き込み、その支柱８に這わせて下から２段目の棚板７まで立ち上げ、その立ち上げ部に対応する下から２段目の棚板７の１つの角部からその棚板７の下面側（陳列棚６の最下段の棚部６ａの天面）に引き込み、下から２段目の棚板７の４側縁に沿ってその棚板７の下面側縁部（陳列棚６の最下段の棚部６ａの天面周側部）に矩形ループ状に這わせ、引き込み部と同じ下から２段目の棚板７の１つの角部から引き出し、その引き込み及び引き出し部に対応する下から２段目の棚板７の１つの角部から前記と同じ支柱８に這わせて陳列棚６の下から３段目の棚板７まで立ち上げ、下から２段目の棚板７と同様に下から３段目の棚板７の４側縁に沿って下から３段目の棚板７の下面側縁部（陳列棚６の下から２段目の棚部６ａの天面周側部）に矩形ループ状に這わせ、この配管作業を陳列棚６の最上段の棚部６ａの天面となる最上段の棚板（天板）７まで順次行い、陳列棚６全体に張り巡らせて、当該陳列棚６を各段の棚部６ａごとにその天面周側部に矩形ループ状に這わせたチューブ４により監視して火災を感知するように構成している。また、チューブ４を上記とは逆に陳列棚６の何れか１本の支柱８の上部から陳列棚６に引き込み、最上段の棚板７の下面側縁部から下から２段目の棚板７の下面側縁部にかけて順次張り巡らせたり、チューブ４を陳列棚６の何れか１本の支柱８の下部（又は上部）から引き込み、先ず下から２段目の棚板７から最上段の棚板７（又は最上段の棚板７から下から２段目の棚板７）にかけて、各棚板７ごとにその下面で、隣接する２側縁部にだけ這わせ、対角方向に位置する２本の支柱８を交互に這わせながら、各棚板７の半分に張り巡らせた後、最上段の棚板７から下から２段目の棚板７（又は２段目の棚板７から最上段の棚板７）にかけて、各棚７ごとにその下面で、隣接する残り２側縁部に這わせ、対角方向に位置する２本の支柱８を交互に這わせながら、各棚板７の残り半分に張り巡らせても良く、このような配管形態は、チューブ４を重複することなく、陳列棚６の各段の棚部６ａの天面周側部に矩形ループ状に這わせた状態で、陳列棚６全体に張り巡らせることができて、未監視部分や散水障害をなくし、当該陳列棚６で発生した火災の感知及び消火を有効に、且つ、効果的に行うことができる。
【００１４】
消火薬剤貯蔵容器１は、陳列棚６から離れた売場の目立たない箇所や売場以外の場所に設置することもできるが、陳列棚６内の目立たない箇所や陳列棚６付近の目立たないに場所に、定置型や台車付きの可搬型の設置台又はパッケージ箱内に収容して設置することが望ましい。
【００１５】
図２は陳列棚の棚板の部分拡大断面図であり、各棚板７は矩形状の商品載置面７ａの周側縁から下向きに直角に延出する縁部７ｂを有し、各棚板７の下面側縁部に矩形ループ状に這わせるチューブ４の周囲で、防火対象域（各棚部６ａの空間）と対向する側と反対側には、各棚板７の商品載置面７ａの側縁部分と縁部７ｂからなる直角な壁面が存在している。そして、図２に示す網５は、各棚板７の下面側縁部に矩形ループ状に這わせるチューブ４の周囲に存在する直角な壁面の内側に取り付け、各棚板７の下面側縁部に矩形ループ状に這わせるチューブ４の防火対象域と対向する側を覆い、各棚板７の下面側縁部に矩形ループ状に這わせるチューブ４の防火対象域と対向する側と反対側の周囲に存在する直角な壁面とで、各棚板７の下面側縁部、即ち各棚部６ａにおけるチューブ４の配管経路に筒状のチューブ（配管）収容空間９を形成するもので、このチューブ収容空間９にチューブ４を挿通させることによって、各棚板７の下面側縁部にチューブ４を矩形ループ状に這わせている。したがって、図２に示す網５は、チューブ４の周囲に存在する壁面とで当該チューブ４を挿通させる筒状のチューブ収容空間９を形成し、このチューブ収容空間９に挿通させるチューブ４内の管路の周囲一部分を覆っている。また、この網５は、チューブ４の成形材料より高い融点を有し、且つ、後述する所定の大きさの網目を有する金網又は樹脂網からなっている。
【００１６】
また、図２に示す網５は、各棚板７における商品載置面７ａの側縁部分下面と縁部７ｂの端部内面に接合させる平坦な接合部５ｂをそれぞれ板状の網押さえ１０とボルト・ナット１１で着脱自在に締め付ける方法で取り付けているが、各棚板７における商品載置面７ａの側縁部分下面と縁部７ｂの端部内面にこれら各面との間に網５の接合部５を着脱自在に嵌合する嵌合部を形成するための網取り付け金具を複数個固着しておき、嵌合方式で着脱自在に取り付けたり、各棚板７における商品載置面７ａの側縁部分下面と縁部７ｂの端部内面にチューブ４の成形材料の融点より高い温度耐熱の接着剤によって直接接着固定しても良い。さらに、網５は、各棚板７の下面側縁部の１側縁に対し１本ずつ設け、４本の網５によって各棚板７の角部を除く下面側縁部にチューブ収容空間９を形成したり、各棚板７の下面側縁部に沿うように１本の長い網５を矩形ループ状に曲げ加工し、各棚板７の下面側縁部に連続してチューブ収容空間９を形成しても良い。チューブ収容空間９に対するチューブ４の引き込み及び引き出しは、チューブ収容空間９が各棚板７の各角部で途切れる前者の場合はその途切れ部分で行うことができ、連続する後者の場合はチューブ収容空間９が各棚板７の１つの角部で途切れるように、１本の長い網５を矩形ループ状に曲げ加工することにより、その途切れ部分で行うことができる。またさらに、図２に示す網５は、平坦な両接合部５ｂ間の網主部５ａを幅方向に湾曲し、断面形状が扇形のチューブ収容空間９を形成しているが、網主部５ａを平坦に形成することで、断面形状が三角形のチューブ収容空間９を形成することができ、これ以外でもＬ字状等に折り曲げることによって、断面形状が四角形以上の多角形のチューブ収容空間９を形成することができる。本実施の形態では、網５がチューブ４の周囲に存在する直角な壁面とで当該チューブ４を挿通させる筒状のチューブ収容空間９を形成しているが、例えばチューブ４を店舗等の壁面や天井面に直接張り巡らせる場合等、チューブ４の周囲に平坦な１壁面しか存在しない場合には、幅方向に半円状に曲げたり、ＶやＬ字状、コ字状等に折り曲げた網主部５ａを有する網５によって平坦な壁面や天井面とでチューブ４を挿通させる筒状のチューブ収容空間９を形成することができる。
【００１７】
なお、陳列棚６の支柱８に這わせるチューブ４に対しても、各棚板７の下面側縁部に矩形ループ状に這わせるチューブ４と同様に、図示しない網によってチューブ４の周囲に存在する壁面とで当該チューブ４を挿通させる筒状のチューブ収容空間を形成し、このチューブ収容空間に挿通させるチューブ４内の管路の周囲一部分を覆うことが望ましい。
【００１８】
以上のように構成した陳列棚用自動消火装置は、消火薬剤貯蔵容器１の内圧によってチューブ４内の管路を常時加圧した状態で待機している。この待機状態で、例えば陳列棚６の下から２段目の棚部６ａに陳列している商品から出火すると（火災発生）、図２に示すように、陳列棚６の下から２段目の棚部６ａを監視している陳列棚６の下から３段目の棚板７の下面側縁部に矩形ループ状に這わせたチューブ４の、炎１２の熱により最も高温になった部分（溶けて弱くなった部分）に穴４ａが空き、消火薬剤貯蔵容器１の内圧によって容器１に充填されている消火薬剤１３をチューブ１１に空いた穴４ａから放射させて消火を行う。このように、チューブ４は消火薬剤１３を運ぶ配管と、火炎１２を感知する感知器と、消火薬剤１３を放射するヘッド（ノズル）の３つの役目を果たしている。なお、チューブ４に穴４ａが空く温度、即ち火災感知温度は、チューブ４の成形材料や管壁の厚み等によって適宜設定でき、１０５℃〜１１５℃の範囲で設定することが望ましい。
【００１９】
また、図２に示すように、当該自動消火装置においてはチューブ４の穴４ａから放射される消火薬剤１３を、チューブ４内の管路の周囲一部分を覆っている前記網５によって、広範囲に拡散させる。これによって、チューブ４に空いた穴４ａからでは消火薬剤１３を線状にしか放射できず、放射方向が必ずしも火源に向いていなくても、網５の消火薬剤拡散機能によって消火薬剤１３を確実に火源に到達させることができ、有効で効果的な消火を行うことができる。また、消火薬剤１３として泡水溶液等の泡消火薬剤を使用した場合、前記網５を通すことにより発泡させることができ、前記網５を発泡機構としても機能させることができる。さらに、チューブ４の穴４ａから放射される消火薬剤１３の一部が網５に衝突して拡散する際に、消火薬剤１３を微細化拡散放射することもできる。
【００２０】
ここで、前記網５は、チューブ４の成形材料より高い融点を有する金網又は樹脂網からなるために、チューブ４に穴４ａが空き、消火薬剤１３が放射される時点で熱変形したり、溶けることなく確実に消火薬剤拡散機能を発揮することができる。また、前記網５は網目の大きさは、上記のような消火薬剤拡散機能を確実に得るために、チューブ４に空く穴４ａより小さく、その穴４ａから放射される消火薬剤１３が通過可能な大きさに形成することが望ましい。
【００２１】
図３は網の変形例を示す説明図であり、図３に示す網１５は、チューブ４内の管路の周囲全周を覆うもので、チューブ４を挿通させるように筒状に形成している。この網１５も前記網５と同様にチューブ４の成形材料より高い融点を有し、且つ、チューブ４に空く穴４ａより小さく、その穴４ａから放射される消火薬剤１３が通過可能な大きさの網目を有する筒状の金網又は樹脂網からなっている。この筒状の網１５を前記網５に代えて当該自動消火装置に採用する場合には、陳列棚６全体に張り巡らせるチューブ長に相当する長さを用意し、チューブ４を筒状の網１５に挿通させ、チューブ４内の管路の周囲全周を筒状の網１５で覆った状態で、上記のように陳列棚６全体に張り巡らせる。このチューブ４と筒状の網１５からなる二重構造の配管は、図示しない周知の止め金具や金属バンドによって陳列棚６の各棚板７や支柱８に止着することができる。而して、図３に示す網１５は、図２に示す網５と同様の消火薬剤拡散機能を発揮する一方、図２に示す網５と比べて、網自体の取り付け作業が容易になり、チューブ４の配管作業も簡単に行うとができる。
【００２２】
図４は網の他の変形例を示す説明図であり、図４に示す網２５も、チューブ１４内の管路の周囲全周を覆うもので、チューブ１４の管壁樹脂内に一体に埋め込み網２５入りのチューブ１４を構成するように筒状に形成している。この網２５も前記網５，１５と同様にチューブ１４の成形材料より高い融点を有し、且つ、チューブ１４に空く穴１４ａより小さく、その穴１４ａから放射される消火薬剤１３が通過可能な大きさの網目を有する筒状の金網又は樹脂網からなっている。この網２５入りのチューブ１４を当該自動消火装置に採用する場合、上記チューブ４に代えて消火薬剤貯蔵容器１の（容器弁の）消火薬剤放出口に接続すると共に、必要長さに切断し、且つ、その末端をヒートシール加工やプラグにより栓をして確実に閉じた状態で、陳列棚６全体に張り巡らせる。この網２５入りのチューブ１４は、図示しない周知の止め金具や金属バンドによって陳列棚６の各棚板７や支柱８に止着することができる。また、チューブ１４の切断及び末端封鎖処理は陳列棚６にチューブ１４を張り巡らせる配管作業の前後いずれでも行うことができる。而して、図４に示す網２５は、チューブ１４における網２５を内蔵している樹脂の管壁で、炎１２の熱により最も高温になった部分（溶けて弱くなった部分）に穴１４ａが空き、その穴１４ａを覆っている網２５が図２，図３に示す網５，１５と同様の消火薬剤拡散機能を発揮する一方、図３に示す網５と比べて、チューブ１４の配管作業をより簡単に行うとができる。
【００２３】
なお、前記の各網５，１５，２５は、チューブ４，１４自体の柔軟性を阻害したり、喪失させることがないように、チューブ４，１４と同様の柔軟性を有することが望ましい。
【００２４】
以上、本実施の形態は本発明の好適な実施の形態の一例を示したが、本発明はそれに限定されることなく、その要旨を逸脱しない範囲内において他の防火対象物にも変形実施することができる。
【００２５】
例えば、本実施の形態では、蓄圧式の消火薬剤貯蔵容器１を示したが、これに代えて加圧式の消火薬剤貯蔵容器を用いても良い。加圧式の場合、炎１２の熱により内部が加圧状態のチューブ４，１４に穴４ａ，１４ａが空き、チューブ４，１４の内圧低下を感知して図示しない起動装置が働き、図示しない加圧用ガス容器の封板を開封して加圧用ガス（ＣＯ2や窒素ガス）を消火薬剤貯蔵容器１内に導入し、その消火薬剤貯蔵容器１内圧によって、消火薬剤１３はチューブ４，１４を通じて穴４ａ，１４ａから放射される。また、本実施の形態では陳列棚用自動消火設備を示したが、チューブ４，１４はその柔軟性により防火対象域（防火対象物）の形状に関係なくあらゆるところに設置することができる。
【図面の簡単な説明】
【００２６】
【図１】本発明の実施の形態に係る陳列棚用自動消火装置の全体図である。
【図２】陳列棚の棚板の部分拡大断面図である。
【図３】網の変形例を示す説明図である。
【図４】網の他の変形例を示す説明図である。
【符号の説明】
【００２７】
１  消火薬剤貯蔵容器
４，１４  チューブ（樹脂配管）
４，１４ａ  穴
５，１５，２５  網
６  陳列棚（防火区域）
９  チューブ収容空間（配管収容空間）
１２  炎
１３  消火薬剤
【図１】
2006288688.tif 000003
【図２】
2006288688.tif 000004
【図３】
2006288688.tif 000005
【図４】
2006288688.tif 000006